(57)【要約】【課題】搭載された製品の落下等で過度の衝撃が加えられても、不具合を回避できるレンズ駆動装置を提供する。【解決手段】レンズ駆動装置は、ベース部材１８とレンズ保持部材１２とレンズ保持部材１２を光軸方向へ移動可能に支持する板ばね１６とレンズ保持部材１２の外周に設けられたコイル１３とコイル１３の外側に対向して配置された磁石１５とヨーク１４とを備え、板ばね１６が上側板ばね１６Ａを有し、上側板ばね１６Ａがレンズ保持部材１２に固定される第１部分とヨーク１４に一体化される第２部分１６ｂと第１部分と第２部分１６ｂとの間に位置する弾性腕部１６ｐとを有し、上側板ばね１６Ａの弾性腕部１６ｐがコイル１３の上方に配置され、上側板ばね１６Ａとコイル１３との間に、仕切部１１ｐを有する平板状の仕切部材１１を設け、仕切部１１ｐが、上側板ばね１６Ａの弾性腕部１６ｐとコイル１３との間に位置することを特徴としている。【選択図】図１６
0003183931.tif 000002
【実用新案登録請求の範囲】
【請求項１】
ベース部材と、
該ベース部材の上方に配置されるとともにレンズ体を保持可能なレンズ保持部材と、
該レンズ保持部材を光軸方向へ移動可能に支持する板ばねと、
前記レンズ保持部材の外周に設けられたコイルと、
該コイルの外側に対向して配置された磁石と、
前記レンズ保持部材、前記板ばね、前記コイル及び前記磁石を収容するケースを構成し前記ベース部材と一体化されるヨークと、を備えたレンズ駆動装置において、
前記板ばねは、前記レンズ保持部材の上部に固定される上側板ばねと、前記レンズ保持部材の下部に固定される下側板ばねと、からなり、
前記上側板ばね及び前記下側板ばねのそれぞれは、前記レンズ保持部材に固定される第１部分と、前記ヨーク或いは前記ベース部材に一体化される第２部分と、前記第１部分と前記第２部分との間に位置する弾性腕部と、を有し、
前記上側板ばねの前記弾性腕部が前記コイルの上方に配置され、
前記上側板ばねと前記コイルとの間に、仕切部を有する平板状の仕切部材を設け、
前記仕切部が、前記上側板ばねの前記弾性腕部と前記コイルとの間に位置することを特徴とするレンズ駆動装置。
【請求項２】
前記仕切部材は、非磁性の金属板材からなることを特徴とする請求項１に記載のレンズ駆動装置。
【請求項３】
前記仕切部材は、前記上側板ばねの前記第２部分の下面に位置する取付部を有し、
前記ヨークは、筒状の側壁部と開口部を有する天井部とを有し、
前記上側板ばねと前記ヨークの前記天井部との間に位置し前記上側板ばねの前記弾性腕部の変形を許容するスペーサ部材を設け、
前記仕切部材、前記上側板ばね、前記スペーサ部材及び前記天井部を積層した状態で、前記仕切部材の下部に配置される前記磁石を前記ヨークの前記側壁部に接着固定することで、前記仕切部材の前記取付部、前記板ばねの前記第２部分及び前記スペーサ部材を、前記ヨークの前記天井部と前記磁石とで挟持したことを特徴とする請求項１または請求項２に記載のレンズ駆動装置。
【請求項４】
前記仕切部材には、前記取付部と前記仕切部との間に孔部が設けられていることを特徴とする請求項３に記載のレンズ駆動装置。
【請求項５】
前記レンズ保持部材には、前記レンズ保持部材の前記外周の下端から径方向外側に突出した鍔部を有し、
前記鍔部が、前記コイルの下方と前記下側板ばねの前記弾性腕部との間に位置することを特徴とする請求項１ないし請求項４のいずれかに記載のレンズ駆動装置。
【考案の詳細な説明】
【技術分野】
【０００１】
本考案は、例えばカメラ付き携帯機器に搭載されるレンズ駆動装置に関する。
【背景技術】
【０００２】
近年、携帯電話に代表される携帯機器にカメラ機構が搭載されているのは一般的となってきた。そして、この小型の携帯機器に搭載されるカメラ機構の主要部品であるレンズ駆動装置には、小型化の要求に加え、精度良くレンズ体を駆動させるという要求が高まってきた。この２つの要求を満たすべきレンズ駆動装置として、レンズホルダを駆動するための磁気回路をレンズホルダの四方に設けたものが良く知られている。
【０００３】
上述したレンズ駆動装置として、特許文献１（従来例）では、図１９に示すようなレンズ駆動装置９００が提案されている。図１９は、従来例のレンズ駆動装置９００を説明する図であって、図１９（ａ）は、外観を示す斜視図であり、図１９（ｂ）は、図１９（ａ）に示すＺ１側から見た上面図であり、図１９（ｃ）は、図１９（ｂ）に示すＡ−Ａ線における断面を模式的に示した図である。また、図２０は、図１９に示すレンズ駆動装置９００の弾性部材を示す図であって、図２０（ａ）は、上側板ばね９０７を示す斜視図であり、図２０（ｂ）は、下側板ばね９０６を示す斜視図である。
【０００４】
図１９に示すレンズ駆動装置９００は、金属板部材９０２を埋設したベース部材９０１と、レンズ体を保持可能なレンズ保持体９０３と、金属線材が巻回されたコイル９０４と、複数の磁石９０５と、レンズ保持体９０３の下方（図１９に示すＺ２側）に配設された下側板ばね（弾性部材）９０６と、レンズ保持体９０３の上方（図１９に示すＺ１側）に配設された上側板ばね（弾性部材）９０７と、金属板材からなるヨーク９０８と、環状に形成されたスペーサ部材９０９と、を備えて構成されている。
【０００５】
そして、図２０（ａ）に示すように、上側板ばね９０７は、中央に第１開口９０７ｃを有した矩形状をしており、レンズ保持体９０３に固定される第１部分９０７ａが４箇所と、磁石９０５と当接しヨーク９０８側に固定される第２部分９０７ｂが４箇所と、多段に折り返した線状に形成された上側ばね部９０７ｅが４箇所と、上側ばね部９０７ｅ及び第２部分９０７ｂが接続されている台座部９０７ｄが２箇所と、を有して構成されている。また、図２０（ｂ）に示すように、下側板ばね９０６は、内側形状が半月形状をした１対の板ばねが組み合わされて構成されており、１対の板ばねのそれぞれには、レンズ保持体９０３に固定される第２取り付け穴９０６ｄが２箇所と、ベース部材９０１に固定される第１取り付け穴９０６ｂが２箇所と、多段に折り返した線状に形成された下側ばね部９０６ｅが２箇所と、を有して構成されている。また、図１９（ｃ）に示すように、上側板ばね９０７の上側ばね部９０７ｅがコイル９０４の上方に位置するようにして、上側板ばね９０７が配設されている。そして、この上側板ばね９０７と下側板ばね９０６とで、レンズ保持体９０３が光軸方向（図２０に示すＺ方向）へ移動可能になるように、レンズ保持体９０３を空中で支持している。
【先行技術文献】
【特許文献】
【０００６】
【特許文献１】実用新案登録第３１７９６３４号公報
【考案の概要】
【考案が解決しようとする課題】
【０００７】
しかしながら、従来例のような構成では、搭載された製品の落下等で過度の衝撃が加わった際に、コイル９０４の上方に配設された上側板ばね９０７の上側ばね部９０７ｅ（図１９（ｃ）を参照）が、弾性変形してコイル９０４と当接する虞があった。このため、この当接によるコイル９０４の絶縁被膜破れが発生し、コイル９０４の導線間が短絡するという可能性が生じてしまう。そして、コイル９０４の導線間が短絡した際には、コイル９０４の両端間の電気抵抗が下がり、レンズ駆動装置９００に大きな電流が流れてしまい、その結果、レンズ駆動装置９００或いはレンズ駆動装置９００が搭載された製品に不具合が生じるという虞れがあった。
【０００８】
本考案は、上述した課題を解決するもので、搭載された製品の落下等で過度の衝撃が加えられても、不具合を回避できるレンズ駆動装置を提供することを目的とする。
【課題を解決するための手段】
【０００９】
この課題を解決するために、本考案のレンズ駆動装置は、ベース部材と、該ベース部材の上方に配置されるとともにレンズ体を保持可能なレンズ保持部材と、該レンズ保持部材を光軸方向へ移動可能に支持する板ばねと、前記レンズ保持部材の外周に設けられたコイルと、該コイルの外側に対向して配置された磁石と、前記レンズ保持部材、前記板ばね、前記コイル及び前記磁石を収容するケースを構成し前記ベース部材と一体化されるヨークと、を備えたレンズ駆動装置において、前記板ばねが、前記レンズ保持部材の上部に固定される上側板ばねと、前記レンズ保持部材の下部に固定される下側板ばねと、からなり、前記上側板ばね及び前記下側板ばねのそれぞれが、前記レンズ保持部材に固定される第１部分と、前記ヨーク或いは前記ベース部材に一体化される第２部分と、前記第１部分と前記第２部分との間に位置する弾性腕部と、を有し、前記上側板ばねの前記弾性腕部が前記コイルの上方に配置され、前記上側板ばねと前記コイルとの間に、仕切部を有する平板状の仕切部材を設け、前記仕切部が、前記上側板ばねの前記弾性腕部と前記コイルとの間に位置することを特徴としている。
【００１０】
これによれば、本考案のレンズ駆動装置は、レンズ駆動装置に過度の衝撃が加えられて、上側板ばねの弾性腕部が過剰変形しても、弾性腕部がコイルと当接することを防止できる。このため、上側板ばねとコイルとが当接してコイルの絶縁皮膜を破ることがないので、コイルの導線間の短絡の発生を防ぐことができる。このことにより、搭載された製品の落下等で過度の衝撃がレンズ駆動装置に加えられても、コイルの導線間の短絡の発生による、レンズ駆動装置或いはレンズ駆動装置が搭載された製品の不具合を回避することができる。
【００１１】
また、本考案のレンズ駆動装置は、前記仕切部材が非磁性の金属板材からなることを特徴としている。
【００１２】
これによれば、仕切部材が非磁性であるので、近傍にある磁石とヨーク間の磁束に影響を与えることがなく、コイルに作用する推力の低下を防ぐことができる。また、仕切部材が金属板材からなるので、合成樹脂により仕切部材を形成する場合と比較して、剛性を保ちながらより薄型にすることができる。
【００１３】
また、本考案のレンズ駆動装置は、前記仕切部材が、前記上側板ばねの前記第２部分の下面に位置する取付部を有し、前記ヨークが筒状の側壁部と開口部を有する天井部とを有し、前記上側板ばねと前記ヨークの前記天井部との間に位置し前記上側板ばねの前記弾性腕部の変形を許容するスペーサ部材を設け、前記仕切部材、前記上側板ばね、前記スペーサ部材及び前記天井部を積層した状態で、前記仕切部材の下部に配置される前記磁石を前記ヨークの前記側壁部に接着固定することで、前記仕切部材の前記取付部、前記板ばねの前記第２部分及び前記スペーサ部材を、前記ヨークの前記天井部と前記磁石とで挟持したことを特徴としている。
【００１４】
これによれば、仕切部材、上側板ばね及びスペーサ部材をヨークの天井部と磁石とで挟持し一括して接着固定できるので、個々の部材同士を個々に取り付ける必要がない。このことにより、レンズ駆動装置を組み立てる際に、簡易に組み立てることができ、生産性の向上をはかることができる。
【００１５】
また、本考案のレンズ駆動装置は、前記仕切部材には、前記取付部と前記仕切部との間に孔部が設けられていることを特徴としている。
【００１６】
これによれば、取付部に接着材を塗布して接着する場合、この孔部により、余分な接着材が流動して仕切部に到達するのを防止することができる。このことにより、接着剤が仕切部から弾性腕部に流れて弾性腕部に接着するのを防止でき、レンズ保持部材の光軸方向への移動が阻害されるのを防止することができる。
【００１７】
また、本考案のレンズ駆動装置は、前記レンズ保持部材には、前記レンズ保持部材の前記外周の下端から径方向外側に突出した鍔部を有し、前記鍔部が前記コイルの下方と前記下側板ばねの前記弾性腕部との間に位置することを特徴としている。
【００１８】
これによれば、過度の衝撃がレンズ駆動装置に加えられて、下側板ばねの弾性腕部が変形しても、弾性腕部がコイルと当接することを防止できるので、下側板ばねとコイルとが当接してコイルの絶縁皮膜を破ることがない。このことにより、コイルの導線間の短絡の発生を防ぐことができ、搭載された製品の落下等で過度の衝撃が加えられても、コイルの導線間の短絡の発生による、レンズ駆動装置或いはレンズ駆動装置が搭載された製品の不具合を確実に回避することができる。
【考案の効果】
【００１９】
本考案のレンズ駆動装置は、レンズ駆動装置に過度の衝撃が加えられて、上側板ばねの弾性腕部が過剰変形しても、弾性腕部がコイルと当接することを防止できる。このため、上側板ばねとコイルとが当接してコイルの絶縁皮膜を破ることがないので、コイルの導線間の短絡の発生を防ぐことができる。このことにより、搭載された製品の落下等で過度の衝撃がレンズ駆動装置に加えられても、コイルの導線間の短絡の発生による、レンズ駆動装置或いはレンズ駆動装置が搭載された製品の不具合を回避することができる。
【図面の簡単な説明】
【００２０】
【図１】本考案の第１実施形態のレンズ駆動装置を説明する分解斜視図である。
【図２】本考案の第１実施形態のレンズ駆動装置を説明する図であって、図２（ａ）は、レンズ駆動装置の斜視図であり、図２（ｂ）は、図２（ａ）に示すＹ２側から見た正面図である。
【図３】本考案の第１実施形態のレンズ駆動装置を説明する図であって、図３（ａ）は、図２（ａ）に示すＺ１側から見た上面図であり、図３（ｂ）は、図２（ａ）に示すＺ２側から見た底面図である。
【図４】本考案の第１実施形態のレンズ駆動装置を説明する斜視図であって、図４（ａ）は、図２に示す斜視図において、ヨークとスペーサ部材を省略した図であり、図４（ｂ）は、図４（ａ）に示す斜視図において上側板ばねを省略した図である。
【図５】本考案の第１実施形態のレンズ駆動装置を説明する図であり、図５（ａ）は、図４（ａ）に示す斜視図においてＺ１側から見た上面図であり、図５（ｂ）は、図４（ｂ）に示す斜視図においてＺ１側から見た上面図である。
【図６】本考案の第１実施形態のレンズ駆動装置を説明する図であり、図６（ａ）は、図３（ｂ）に示す底面図においてベース部材を省略した底面図であり、図６（ｂ）は、図６（ａ）に示す底面図において下側板ばねとレンズ保持部材を省略した底面図である。
【図７】本考案の第１実施形態のレンズ駆動装置を説明する図であって、図７（ａ）は、レンズ保持部材の斜視図であり、図７（ｂ）は、レンズ保持部材にコイルが巻回された斜視図である。
【図８】本考案の第１実施形態のレンズ駆動装置を説明する図であって、図８（ａ）は、図２（ａ）に示すＺ２側から見たヨークの底面図であり、図８（ｂ）は、図２（ａ）に示すＺ２側から見たヨークの斜視図である。
【図９】本考案の第１実施形態のレンズ駆動装置を説明する図であって、図１に示すベース部材に下側板ばねを組み付けた斜視図である。
【図１０】本考案の第１実施形態のレンズ駆動装置におけるスペーサ部材を説明する図であって、図１０（ａ）は、図１に示すＺ１側から見た上面斜視図であり、図１０（ｂ）は、図１に示すＺ２側から見た底面斜視図である。
【図１１】本考案の第１実施形態のレンズ駆動装置における板ばねを示す図であって、図１１（ａ）は、上側板ばねの上面図であり、図１１（ｂ）は、下側板ばねの底面図である。
【図１２】本考案の第１実施形態のレンズ駆動装置における仕切部材の平面図である。
【図１３】本考案の第１実施形態のレンズ駆動装置を説明する図であって、図３に示すＸＩＩＩ−ＸＩＩＩ線における断面図である。
【図１４】本考案の第１実施形態のレンズ駆動装置を説明する図であって、図１３に示すＰ部分の拡大断面図である。
【図１５】本考案の第１実施形態のレンズ駆動装置を説明する図であって、図３に示すＸＶ−ＸＶ線における断面図である。
【図１６】本考案の第１実施形態のレンズ駆動装置を説明する図であって、図１５に示すＱ部分の拡大断面図である。
【図１７】本考案の第１実施形態のレンズ駆動装置を説明する図であって、図３に示すＸＶＩＩ−ＸＶＩＩ線における断面図である。
【図１８】本考案の第１実施形態のレンズ駆動装置を説明する図であって、図１７に示すＲ部分の拡大断面図である。
【図１９】従来例のレンズ駆動装置９００を説明する図であって、図１９（ａ）は、外観を示す斜視図であり、図１９（ｂ）は、図１９（ａ）に示すＺ１側から見た上面図であり、図１９（ｃ）は、図１９（ｂ）に示すＡ−Ａ線における断面を模式的に示した図である。
【図２０】弾性部材を示す図であって、図２０（ａ）は、上側板ばねを示す斜視図であり、図２０（ｂ）は、下側板ばねを示す斜視図である。
【考案を実施するための形態】
【００２１】
以下、本考案の実施の形態について図面を参照して説明する。
【００２２】
［第１実施形態］
図１は、本考案の第１実施形態のレンズ駆動装置１０１を説明する分解斜視図である。図２は、本考案の第１実施形態のレンズ駆動装置１０１を説明する図であって、図２（ａ）は、レンズ駆動装置１０１の斜視図であり、図２（ｂ）は、図２（ａ）に示すＹ２側から見た正面図である。図３は、本考案の第１実施形態のレンズ駆動装置１０１を説明する図であって、図３（ａ）は、図２（ａ）に示すＺ１側から見た上面図であり、図３（ｂ）は、図２（ａ）に示すＺ２側から見た底面図である。
【００２３】
本考案の第１実施形態のレンズ駆動装置１０１は、図１ないし図３に示すように、レンズ体（図示していない）を保持可能な筒状のレンズ保持部材１２と、レンズ保持部材１２の外周に設けられたコイル１３と、コイル１３の外側に対向して配置された磁石１５と、レンズ保持部材１２を光軸方向へ移動可能に支持する板ばね１６と、平板状の仕切部材１１と、レンズ保持部材１２、コイル１３、磁石１５、板ばね１６及び仕切部材１１を収容するヨーク１４と、端子７が埋め込まれたベース部材１８と、ヨーク１４と板ばね１６（１６Ａ）との間に配設されたスペーサ部材１９と、を備えて構成される。更に、板ばね１６は、レンズ保持部材１２の上部に固定される上側板ばね１６Ａと、レンズ保持部材１２の下部に固定される２つの下側板ばね（１６Ｃ、１６Ｅ）と、を備えて構成される。
【００２４】
そして、レンズ駆動装置１０１は、図示しないレンズ体をレンズ保持部材１２に保持し、図示しない撮像素子を実装した基板上に取り付けられる。そして、撮像素子に対して、レンズ体に保持されたレンズを光軸方向（図２（ａ）に示すＺ方向）に駆動させて焦点距離を調整するために、電源よりコイル１３に通電して生じる電磁力により、レンズ保持部材１２を光軸方向に沿って移動させるものである。
【００２５】
図４は、本考案の第１実施形態のレンズ駆動装置を説明する斜視図であって、図４（ａ）は、図２に示す斜視図において、図２に示すヨーク１４と図１に示すスペーサ部材１９を省略した図であり、図４（ｂ）は、図４（ａ）に示す斜視図において上側板ばね１６Ａを省略した図である。図５は、本考案の第１実施形態のレンズ駆動装置を説明する図であり、図５（ａ）は、図４（ａ）に示す斜視図においてＺ１側から見た上面図であり、図５（ｂ）は、図４（ｂ）に示す斜視図において、Ｚ１側から見た上面図である。図６は、本考案の第１実施形態のレンズ駆動装置を説明する図であり、図６（ａ）は、図３（ｂ）に示す底面図においてベース部材１８を省略した底面図であり、図６（ｂ）は、図６（ａ）に示す底面図において、下側板ばね（１６Ｃ、１６Ｅ）とレンズ保持部材１２を省略した底面図である。図７は、本考案の第１実施形態のレンズ駆動装置を説明する図であって、図７（ａ）は、レンズ保持部材１２の斜視図であり、図７（ｂ）は、レンズ保持部材１２にコイル１３が巻回された斜視図である。図８は、本考案の第１実施形態のレンズ駆動装置を説明する図であって、図８（ａ）は、図２（ａ）に示すＺ２側から見たヨーク１４の底面図であり、図８（ｂ）は、図２（ａ）に示すＺ２側から見たヨーク１４の斜視図である。
【００２６】
レンズ保持部材１２は、ポリアミド樹脂（ＰＡ、polyamide）を用い、図１、図４及び図７に示すように、筒状に形成されており、円形の外周面及び内周面を有する筒部１２ｓと、筒部１２ｓの下端（図７に示すＺ２側）の外周面から径方向外側に突出した鍔部１２ｖとから構成され、ベース部材１８の上方（図７に示すＺ１側）に配置されている。また、筒部１２ｓの内周面には、雌ねじ部１２ｎが形成されており、この雌ねじ部１２ｎに図示しないレンズ体が装着されて、保持される。また、筒部１２ｓの外周面には、コイル１３を内側から支持するコイル支持部１２ｊが均等に４箇所設けられ、コイル支持部１２ｊの一端側には、鍔部１２ｖと対向して径方向外側に突出した庇部１２ｈが形成されている。
【００２７】
また、図７に示すように、庇部１２ｈの更に上方の筒部１２ｓの外周面には、台座部１２ｄが対向して２箇所形成され、台座部１２ｄの上面の平面部１２ｕには、それぞれに凹部１２ｒが２箇所形成されている。
【００２８】
また、レンズ保持部材１２の底面には、図６（ａ）に示すように、下方（図６（ａ）の紙面の手前側）に突出する凸設部１２ｔが４箇所（１２ｔ１、１２ｔ２、１２ｔ３、１２ｔ４）設けられ、長方形になるように配置されている。また、レンズ保持部材１２の底面には、図６（ａ）に示すように、下方（図６（ａ）の紙面の手前側）に突出する突部１２ｆが３箇所設けられ、３角形になるように配置されている。
【００２９】
コイル１３は、図１、図６（ｂ）及び図７（ｂ）に示すように、環状形状で８角形状の形状を有して導線を巻回して形成されている。また、コイル１３は、図４及び図７（ｂ）に示すように、レンズ保持部材１２の筒部１２ｓの周囲を囲む位置に配設され、コイル支持部１２ｊにより内側から支持された状態で、コイル１３の一部が庇部１２ｈと鍔部１２ｖに挟まれるようにして、鍔部１２ｖの上面（図７に示すＺ１側の面）に固定されている。そして、コイル１３の内周面１３ｐがコイル支持部１２ｊにより等方的にバランス良く支持されるため、コイル１３の中心軸とレンズ保持部材１２の中心軸とが一致した状態でレンズ保持部材１２に保持される。これにより、レンズ保持部材１２の雌ねじ部１２ｎにより保持されたレンズ体の中心軸とコイル１３の光軸とを容易に一致させ易くなる。
【００３０】
ヨーク１４は、図１ないし図３、及び図８に示すように、外形が箱状に形成されてケースを構成しており、レンズ保持部材１２、コイル１３、磁石１５、板ばね１６及び仕切部材１１を覆うようにして、それら部材を収容部１４ｓに収容している。そして、ヨーク１４は、ベース部材１８に係合され、ベース部材１８と一体化されている。また、ケース状のヨーク１４は、筒状の側壁部１４Ａと、側壁部１４Ａの上端（図１１に示すＺ１側）と連続して設けられた平板状の天井部１４Ｂと、天井部１４Ｂの開口部１４ｋの一部から下方（図２に示すＺ２方向）に延設された４つの内ヨーク１４Ｃと、を有して構成されている。
【００３１】
また、側壁部１４Ａは、図３及び図６に示すように、平面視して、矩形状をしており、内ヨーク１４Ｃは、図６（ｂ）に示すように、平面視して、円弧状に形成され、側壁部１４Ａの４つの角部に対向するように、等間隔で配設されている。また、レンズ駆動装置１０１が組み立てられた際に、内ヨーク１４Ｃのそれぞれは、図２に示すように、レンズ保持部材１２の筒部１２ｓの外周面に沿って配設されるとともに、図６（ｂ）に示すように、コイル１３の内周面１３ｐと対向して配設される。更に、内ヨーク１４Ｃのそれぞれは、コイル１３を挟んで、磁石１５のそれぞれと対向する位置に配設されている。なお、ヨーク１４を絞り加工で作製する際には、ヨーク１４の内ヨーク１４Ｃが円弧状であるので、容易に絞り加工を行うことができる。このため、ヨーク１４の内ヨーク１４Ｃの形状及び配設の位置の精度を高めることができる。
【００３２】
磁石１５は、図１に示すように、断面形状が台形形状で、平板状の外形をしており、４つの磁石１５（１５Ａ、１５Ｂ、１５Ｃ、１５Ｄ）が、図４及び図６（ｂ）に示すように、コイル１３の外側に位置するとともに、コイル１３を挟んでヨーク１４の４つの内ヨーク１４Ｃにそれぞれ対向配置されて、ヨーク１４の四隅に等分に配設されている。
【００３３】
また、磁石１５の台形形状における傾斜する２つの外側面１５ｖは、側壁部１４Ａに沿った形状をしている。このため、レンズ駆動装置１０１を組み立てる際に、この２つの外側面１５ｖを側壁部１４Ａの内側に押しあてて配置することができ、磁石１５の位置決めを容易に行うことができる。
【００３４】
図９は、本考案の第１実施形態のレンズ駆動装置を説明する図であって、図１に示すベース部材１８に下側板ばね（１６Ｃ、１６Ｅ）を組み付けた斜視図である。図１０は、本考案の第１実施形態のレンズ駆動装置におけるスペーサ部材１９を説明する図であって、図１０（ａ）は、図１に示すＺ１側から見た上面斜視図であり、図１０（ｂ）は、図１に示すＺ２側から見た底面斜視図である。
【００３５】
ベース部材１８は、レンズ保持部材１２と同じポリアミド樹脂（ＰＡ、polyamide）からなり、図１及び図９に示すように、外形が矩形の板状形状で構成され、中央に円形の開口１８ｋが形成されている。また、ベース部材１８の四隅の上面（図９に示すＺ１側の面）には、上方（図９に示すＺ１側）に向けて突出する４つの突設部１８ｔ（１８ｔ１、１８ｔ２、１８ｔ３、１８ｔ４）が設けられている。
【００３６】
また、ベース部材１８の開口１８ｋに臨んだ部分の上面には、図１及び図９に示すように、凹座部１８ｄが３箇所設けられており、３角形になるように配置されている。そして、光軸方向へ移動可能なレンズ保持部材１２が最も下方（図２に示すＺ２方向）に保持された際には、この３箇所の凹座部１８ｄとレンズ保持部材１２の３箇所の突部１２ｆとが、当接するようになる（図１５及び図１６を参照）。
【００３７】
このような状態で保持が継続された場合、この凹座部１８ｄと突部１２ｆとがお互いに擦れ合うことで静電気が発生し、この部分に帯電することがある。このため、この静電気によりベース部材１８とレンズ保持部材１２とが静電吸着し、レンズ保持部材１２の上方（図２に示すＺ１方向）への移動を阻害する虞があった。本考案の第１実施形態では、レンズ保持部材１２の材質とベース部材１８の材質を、同じ材質のポリアミド樹脂（ＰＡ）に好適に選択したので、帯電列を同じにすることができ、摩擦による帯電量を極力低くすることができる。このことにより、レンズ保持部材１２の突部１２ｆとベース部材１８の凹座部１８ｄとがお互いに擦れ合ったとしても、静電気によるベース部材１８とレンズ保持部材１２との静電吸着を抑制し、レンズ保持部材１２の上方への移動阻害を抑制することができる。なお、レンズ保持部材１２の材質とベース部材１８の材質を、ポリアミド樹脂（ＰＡ）にしたが、これに限るものではなく、例えば液晶ポリマー（ＬＣＰ、Liquid Crystal Polymer）であっても良い。また、同じ材質に限るものではなく、帯電列が近い材料の組合せでも良く、例えば、ポリエステル樹脂と液晶ポリマー（ＬＣＰ）との組合せ等でも良い。
【００３８】
また、ベース部材１８には、図１及び図９に示すように、銅や鉄若しくはそれらを主成分とした合金等の材質を用いた金属板からなる端子７が、インサート成形されて埋め込まれており（図１３を参照）、電気的に絶縁された２つの端子７（端子７Ｃ及び端子７Ｅ）のそれぞれは、図示していない撮像素子を実装した基板と電気的に接続され、この２つの端子７（端子７Ｃ及び端子７Ｅ）を介して電力が供給される。そして、端子７の一方の端子７Ｃは、下側板ばね１６Ｃと電気的に接続されるとともに、端子７の他方の端子７Ｅは、下側板ばね１６Ｅと電気的に接続されており、この端子７Ｃ及び端子７Ｅから、下側板ばね１６Ｃ及び下側板ばね１６Ｅを介して、コイル１３に電流を流すことができる。
【００３９】
また、ベース部材１８には、図１及び図９に示すように、銅や鉄若しくはそれらを主成分とした合金等の材質を用いた金属板からなる接続部材５７が、端子７と同様に、インサート成形されて埋め込まれており（図１７を参照）、接続部材５７の一部は、図２及び図３に示すように、四隅に一部を露出している。そして、ヨーク１４の側壁部１４Ａの内壁とベース部材１８の外周側面が組み合わさって位置決めされた後に、ベース部材１８の接続部材５７とヨーク１４の四隅とのつなぎ目部分を４箇所溶接して、ヨーク１４をベース部材１８に固定している。これにより、ヨーク１４は、ベース部材と一体化される。また、ヨーク１４は、グラウンドに接地される。
【００４０】
スペーサ部材１９は、図１及び図１０に示すように、中央に矩形状の開口１９ｋを有した枠形の形状をしており、上側板ばね１６Ａの上方（図２に示すＺ１側）に配設されて、上側板ばね１６Ａとヨーク１４の天井部１４Ｂとの間に位置し、上側板ばね１６Ａが上方に変形できるサイズで形成されている。これにより、スペーサ部材１９は、上側板ばね１６Ａの変形を許容し、ひいてはレンズ保持部材１２の上方への移動を許容している。
【００４１】
また、スペーサ部材１９の下面（図１に示すＺ２側の面）には、図１０（ｂ）に示すように、対向する枠の一方組に、下方（図１０に示すＺ２側）に向けて突出する凸部１９ｔが４箇所形成されるとともに、枠の４つの角部に、平面形状の押圧部１９ｐが形成されている。
【００４２】
図１１は、本考案の第１実施形態のレンズ駆動装置における板ばね１６を示す図であって、図１１（ａ）は、上側板ばね１６Ａの上面図であり、図１１（ｂ）は、下側板ばね（１６Ｃ、１６Ｅ）の底面図である。図１２は、本考案の第１実施形態のレンズ駆動装置における仕切部材１１の平面図である。図１３は、本考案の第１実施形態のレンズ駆動装置を説明する図であって、図３に示すＸＩＩＩ−ＸＩＩＩ線における断面図である。図１４は、本考案の第１実施形態のレンズ駆動装置を説明する図であって、図１３に示すＰ部分の拡大断面図である。図１５は、本考案の第１実施形態のレンズ駆動装置を説明する図であって、図３に示すＸＶ−ＸＶ線における断面図である。図１６は、本考案の第１実施形態のレンズ駆動装置を説明する図であって、図１５に示すＱ部分の拡大断面図である。図１７は、本考案の第１実施形態のレンズ駆動装置を説明する図であって、図３に示すＸＶＩＩ−ＸＶＩＩ線における断面図である。図１８は、本考案の第１実施形態のレンズ駆動装置を説明する図であって、図１７に示すＲ部分の拡大断面図である。なお、図１３ないし図１８に示すレンズ保持部材１２の状態は、レンズ保持部材１２が最下方（図１３に示すＺ２方向）にある状態を示しており、コイル１３に通電して生じる電磁力により、レンズ保持部材１２は、光軸方向に沿って上方（図１３に示すＺ１方向）に移動するものである。
【００４３】
板ばね１６は、銅合金からなる板を加工して作製され、図３（ａ）に示すように、レンズ保持部材１２の筒部１２ｓの内周面よりも大径な開口を有し、図１及び図４（ａ）に示すように、レンズ保持部材１２とスペーサ部材１９との間に配設される上側板ばね１６Ａと、図１及び図９に示すように、レンズ保持部材１２とベース部材１８との間に配設されベース部材１８に載置される２枚の下側板ばね１６Ｃ及び下側板ばね１６Ｅと、から構成される。そして、レンズ保持部材１２と板ばね１６のそれぞれ（１６Ａ、１６Ｃ、１６Ｅ）が係合され、レンズ保持部材１２が光軸方向（図２に示すＺ方向）へ移動可能になるように、レンズ保持部材１２を空中で支持している。
【００４４】
板ばね１６の上側板ばね１６Ａは、図１１（ａ）に示すように、矩形状をしており、レンズ保持部材１２に固定される第１部分１６ａが４箇所と、ヨーク１４側に固定され一体化される第２部分１６ｂが４箇所と、第１部分１６ａと第２部分１６ｂとの間に位置する弾性腕部１６ｐが４箇所と、４箇所の第１部分１６ａのそれぞれを繋ぎ弾性腕部１６ｐの一端と接続している桟部１６ｄと、を有している。また、第１部分１６ａのそれぞれは、弾性腕部１６ｐの他端と繋がっているとともに、２箇所の第１部分１６ａ同士は、固定連結部１６ｅにより、繋がっている。また、第２部分１６ｂは、長方形状に形成され、矩形状の四隅に配置されている。
【００４５】
この上側板ばね１６Ａがレンズ駆動装置１０１に組み込まれた際には、図４（ａ）及び図５（ａ）に示すように、上側板ばね１６Ａの弾性腕部１６ｐがコイル１３の上方（図２に示すＺ１方向）に配置される。そして、この第１部分１６ａと第２部分１６ｂと弾性腕部１６ｐとが設けられた４箇所の部分で、レンズ保持部材１２が光軸方向（図２に示すＺ方向）へ移動可能になるように、レンズ保持部材１２を空中で支持している。
【００４６】
上側板ばね１６Ａの第１部分１６ａは、図４（ａ）、図５（ａ）、図１３及び図１４に示すように、図７に示す台座部１２ｄの平面部１２ｕに載置され、例えば接着材でレンズ保持部材１２に固定される。この際には、図７に示す平面部１２ｕの凹部１２ｒに接着材を充填して、上側板ばね１６Ａをレンズ保持部材１２に載置した後、接着材を硬化して、固定するようにすると良い。また、上側板ばね１６Ａ側（図４に示すＺ１側）から固定連結部１６ｅに接着材を塗布して、固定するようにしても良い。
【００４７】
上側板ばね１６Ａの桟部１６ｄには、図１１（ａ）に示すように、対向する一方組に、切欠け部１６ｃが４箇所形成されている。この切欠け部１６ｃは、スペーサ部材１９が上側板ばね１６Ａの上に載置された際に、図１０（ｂ）に示すスペーサ部材１９の凸部１９ｔが切欠け部１６ｃに係合することで、上側板ばね１６Ａとスペーサ部材１９との位置決めを行っている。また、スペーサ部材１９が上側板ばね１６Ａの上に載置された際に、第２部分１６ｂは、図１６に示すように、図１０（ｂ）に示すスペーサ部材１９の押圧部１９ｐと当接する。
【００４８】
板ばね１６の下側板ばね１６Ｃは、図１１（ｂ）に示すように、内側形状が半月形状をしており、レンズ保持部材１２に固定される第１部分１６ｈが２箇所と、ベース部材１８に固定される第２部分１６ｉが２箇所と、第１部分１６ｈと第２部分１６ｉとの間に位置する弾性腕部１６ｑが２箇所と、を有している。また、第１部分１６ｈのそれぞれは、弾性腕部１６ｑの一端と繋がっているとともに、２箇所の第１部分１６ｈ同士は、第１固定連結部１６ｊにより、繋がっている。また、第２部分１６ｉのそれぞれは、弾性腕部１６ｑの他端と繋がっているとともに、２箇所の第２部分１６ｉ同士は、第２固定連結部１６ｆにより、繋がっている。そして、この第１部分１６ｈと第２部分１６ｉと弾性腕部１６ｑとが設けられた２箇所の部分で、レンズ保持部材１２の片側を支持している。
【００４９】
下側板ばね１６Ｃの第１部分１６ｈには、図１１（ｂ）に示すように、それぞれ貫通孔１６ｋが設けられており、レンズ駆動装置１０１が組み立てられた際には、この２つの貫通孔１６ｋは、図６（ａ）、図１７及び図１８に示すように、レンズ保持部材１２の凸設部１２ｔ（１２ｔ１、１２ｔ２）と勘合し、レンズ保持部材１２に位置決めされ固定される。また、この凸設部１２ｔ（１２ｔ１、１２ｔ２）を用いて、熱かしめを行うことにより、より確実に下側板ばね１６Ｃをレンズ保持部材１２に固定することができる。なお、図１７に示している凸設部１２ｔ１（１２ｔ）及び凸設部１２ｔ２（１２ｔ）は、熱かしめを行った後の状態を示しており、凸設部１２ｔ１（１２ｔ）及び凸設部１２ｔ２（１２ｔ）が変形している状態を示している（詳細には、図１８の凸設部１２ｔ２（１２ｔ）を参照）。
【００５０】
下側板ばね１６Ｃの第２部分１６ｉには、図１１（ｂ）に示すように、それぞれ貫通孔１６ｍが設けられており、レンズ駆動装置１０１が組み立てられた際には、この２つの貫通孔１６ｍは、図９に示すように、ベース部材１８の突設部１８ｔ（１８ｔ１、１８ｔ２）と勘合し、ベース部材１８に位置決めされ固定される。
【００５１】
板ばね１６の下側板ばね１６Ｅは、下側板ばね１６Ｃと同様に、図１１（ｂ）に示すように、内側形状が半月形状をしており、レンズ保持部材１２に固定される第１部分１６ｖが２箇所と、ベース部材１８に固定される固定される第２部分１６ｗが２箇所と、第１部分１６ｖと第２部分１６ｗとの間に位置する弾性腕部１６ｒが２箇所と、を有している。また、第１部分１６ｖのそれぞれは、弾性腕部１６ｒの一端と繋がっているとともに、２箇所の第１部分１６ｖ同士は、第１固定連結部１６ｘにより、繋がっている。また、第２部分１６ｗのそれぞれは、弾性腕部１６ｒの他端と繋がっているとともに、２箇所の第２部分１６ｗ同士は、第２固定連結部１６ｇにより、繋がっている。そして、この第１部分１６ｖと第２部分１６ｗと弾性腕部１６ｒとが設けられた２箇所の部分で、レンズ保持部材１２のもう一方の片側を支持している。
【００５２】
下側板ばね１６Ｅの第１部分１６ｖには、図１１（ｂ）に示すように、それぞれ貫通孔１６ｙが設けられており、レンズ駆動装置１０１が組み立てられた際には、この２つの貫通孔１６ｙは、図６（ａ）に示すように、レンズ保持部材１２の凸設部１２ｔ（１２ｔ３、１２ｔ４）と勘合し、レンズ保持部材１２に位置決めされ固定される。また、下側板ばね１６Ｃと同様に、この凸設部１２ｔ（１２ｔ３、１２ｔ４）を用いて、熱かしめを行うことにより、より確実に下側板ばね１６Ｅをレンズ保持部材１２に固定することができる。
【００５３】
下側板ばね１６Ｅの第２部分１６ｗには、図１１（ｂ）に示すように、それぞれ貫通孔１６ｎが設けられており、レンズ駆動装置１０１が組み立てられた際には、この２つの貫通孔１６ｎは、図９に示すように、ベース部材１８の突設部１８ｔ（１８ｔ３、１８ｔ４）と勘合し、ベース部材１８に位置決めされ固定される。
【００５４】
また、下側板ばね１６Ｃと下側板ばね１６Ｅとは、図１１（ｂ）に示すように、ほぼ点対称の形状にしており、第１部分１６ｈの２箇所と第１部分１６ｖの２箇所で、レンズ保持部材１２に対して均等な位置で接続され、第２部分１６ｉの２箇所と第２部分１６ｗの２箇所で、ベース部材１８に対して均等な位置で接続される。これにより、レンズ保持部材１２をバランス良く空中で支持しすることができる。
【００５５】
また、図１３ないし図１６に示すように、下側板ばね１６Ｃの弾性腕部１６ｑ及び下側板ばね１６Ｅの弾性腕部１６ｒ（図１１（ｂ）を参照）は、レンズ保持部材１２の鍔部１２ｖを挟んでコイル１３の下方と対向している。つまり、レンズ保持部材１２の鍔部１２ｖが、コイル１３の下方と下側板ばね（１６Ｃ、１６Ｅ）の弾性腕部（１６ｑ、１６ｒ）との間に位置している。これにより、過度の衝撃がレンズ駆動装置１０１に加えられて、下側板ばね（１６Ｃ、１６Ｅ）の弾性腕部（１６ｑ、１６ｒ）が変形しても、弾性腕部（１６ｑ、１６ｒ）がコイル１３と当接することがない。
【００５６】
また、下側板ばね１６Ｃは、図６（ａ）及び図１３に示すように、コイル１３の一端側と電気的に接続されるとともに（図中に示すＣＮ１の部分）、下側板ばね１６Ｅは、図６（ａ）に示すように、コイル１３の他端側と電気的に接続されている（図中に示すＣＮ２の部分）。なお、コイル１３と下側板ばね（１６Ｃ、１６Ｅ）との接続は、はんだ等により容易に接続される。また、下側板ばね１６Ｃは、図９に示す貫通孔１６ｓの部分で端子７Ｃと電気的に接続されるとともに、下側板ばね１６Ｅは、図９に示す貫通孔１６ｔの部分で端子７Ｅと電気的に接続されている。これにより、この下側板ばね１６Ｃ及び下側板ばね１６Ｅを介して、コイル１３に電流を流すことができる。なお、下側板ばね（１６Ｃ、１６Ｅ）と端子７（７Ｃ、７Ｅ）との接続は、溶接等により容易に接続される。
【００５７】
仕切部材１１は、図１及び図１２に示すように、平板状で矩形状をしており、４隅に取付部１１ｂと仕切部１１ｐとをそれぞれ有し、取付部１１ｂと仕切部１１ｐとの間には、孔部１１ｈがそれぞれ設けられている。また、４隅の取付部１１及び仕切部１１ｐとを４つの連結部１１ｊで接続している。そして、仕切部材１１は、図２ないし図４に示すように、ヨーク１４に収容されて、上側板ばね１６Ａと磁石１５との間に配設される。これにより、仕切部材１１が平板状であるので、仕切部材１１の外形寸法を上側板ばね１６Ａの外形寸法と合わせることができ、仕切部材１１や上側板ばね１６Ａ等の部材を収容するケースであるヨーク１４が大きくなるのを抑制することができる。
【００５８】
また、仕切部材１１は、仕切部材１１が組み付けられた際には、図４及び図５に示すように、上側板ばね１６Ａとレンズ保持部材１２の筒部１２ｓに巻回されたコイル１３との間にも、配設されるようになる。この際に、図４、図５、図１５及び図１６に示すように、取付部１１ｂは、上側板ばね１６Ａの第２部分１６ｂの下面に位置し、仕切部１１ｐは、上側板ばね１６Ａの弾性腕部１６ｐとコイル１３との間に位置するようになる。
【００５９】
これにより、レンズ駆動装置１０１に過度の衝撃が加えられて、上側板ばね１６Ａの弾性腕部１６ｐが過剰変形しても、弾性腕部１６ｐがコイル１３と当接することがないので、上側板ばね１６Ａとコイル１３とが当接してコイル１３の絶縁皮膜を破ることがない。このため、コイル１３の導線間の短絡の発生を防ぐことができる。また、ヨーク１４を介して上側板ばね１６Ａがグランドに接続されている際には、上側板ばね１６Ａとコイル１３との短絡の発生も防ぐことができる。
【００６０】
仕切部材１１の連結部１１ｊには、図１２に示すように、対向する一方組に、切欠け部１１ｃが４箇所、形成されている。この切欠け部１１ｃは、スペーサ部材１９が上側板ばね１６Ａを介して仕切部材１１の上に載置された際に、図１０（ｂ）に示すスペーサ部材１９の凸部１９ｔが切欠け部１１ｃに係合することで、仕切部材１１とスペーサ部材１９との位置決めを行っている。
【００６１】
また、仕切部材１１は、りん青銅等の非磁性の金属板材から作製されている。これにより、仕切部材１１が非磁性であるので、近傍にある磁石１５とヨーク１４間の磁束に影響を与えることがなく、コイル１３に作用する推力の低下を防ぐことができる。仕切部材１１が金属板材からなるので、合成樹脂により仕切部材１１を形成する場合と比較して、剛性を保ちながら、より薄型にすることができる。
【００６２】
また、仕切部材１１を薄い金属板材にすることで、仕切部材１１に弾性を持たせることができる。このため、弾性腕部１６ｐが仕切部材１１の仕切部１１ｐに当接しても、弾性腕部１６ｐの変形を防止することができる。
【００６３】
以上のように構成されたレンズ駆動装置１０１は、図８に示すヨーク１４に、スペーサ部材１９、上側板ばね１６Ａ、仕切部材１１、レンズ保持部材１２、コイル１３、磁石１５、及び下側板ばね（１６Ｃ、１６Ｅ）を、順次、収容部１４ｓに収容するようにしている。
【００６４】
具体的には、先ず、図８に示すヨーク１４に、スペーサ部材１９の上面（図１に示すＺ１側の面）がヨーク１４の天井部１４Ｂに当接するような向きで、スペーサ部材１９を配置する。次に、図１０（ｂ）に示すスペーサ部材１９の凸部１９ｔと図１１（ａ）に示す上側板ばね１６Ａの切欠け部１６ｃとが係合するようにして、上側板ばね１６Ａを配置する。この際に、上側板ばね１６Ａの桟部１６ｄの一部とヨーク１４の側壁部１４Ａの一部とが当接するようになり、上側板ばね１６Ａは、ヨーク１４を介してもグランドに接続される。
【００６５】
次に、図１０（ｂ）に示すスペーサ部材１９の凸部１９ｔと図１２に示す仕切部材１１の切欠け部１１ｃとが係合するようにして、仕切部材１１を配置する。そして、上側板ばね１６Ａの第１固定部１６ａの４箇所、ヨーク１４の４隅の側壁部１４Ａ及び仕切部材１１の取付部１１ｂの４箇所に接着材を塗布する。
【００６６】
次に、コイル１３が巻回されたレンズ保持部材１２を配置するとともに、４つの磁石１５（１５Ａ、１５Ｂ、１５Ｃ、１５Ｄ）を、図６（ｂ）に示すように、ヨーク１４の四隅に配置する。この際には、磁石１５の２つの外側面１５ｖをヨーク１４の側壁部１４Ａの内側に押しあてて配置するようにする。
【００６７】
そして、接着剤を硬化させ、レンズ保持部材１２と上側板ばね１６Ａとを接着固定するとともに、ヨーク１４の天井部１４Ｂにスペーサ部材１９、上側板ばね１６Ａの第２部分１６ｂ、仕切部材１１の取付部１１ｂ及び磁石１５が積層した状態で、磁石１５をヨーク１４の側壁部１４Ａに接着固定する。これにより、図１５及び図１６に示すように、スペーサ部材１９、上側板ばね１６Ａの第２部分１６ｂ及び仕切部材１１の取付部１１ｂを、ヨーク１４の天井部１４Ｂと磁石１５の上面１５ｕとで挟持したようになる。このように、スペーサ部材１９、上側板ばね１６Ａ、仕切部材１１及び磁石１５を、ヨーク１４の天井部１４Ｂに一括して接着固定できるので、個々の部材同士を個々に取り付ける必要がない。このことにより、レンズ駆動装置１０１を組み立てる際に、簡易に組み立てることができ、生産性の向上をはかることができる。
【００６８】
また、仕切部材１１には、取付部１１ｂと仕切部１１ｐとの間に孔部１１ｈが設けられているので、取付部１１ｂに接着材を塗布して接着する場合、この孔部１１ｈにより、余分な接着材が流動して仕切部１１ｐに到達するのを防止することができる。このことにより、接着材が仕切部１１ｐから弾性腕部１６ｐに流れて、弾性腕部１６ｐに接着するのを防止でき、レンズ保持部材１２の光軸方向へ移動が阻害されるのを防止することができる。
【００６９】
最後に、下側板ばね（１６Ｃ、１６Ｅ）が組み付けられたベース部材１８に、各部材が収容されたヨーク１４を覆い被せて、ヨーク１４の側壁部１４Ａの内壁とベース部材１８の外周側面が組み合わせて位置決めする。そして、ベース部材１８の接続部材５７とヨーク１４の四隅とのつなぎ目部分を４箇所溶接して、ヨーク１４をベース部材１８に固定している。これにより、ヨーク１４は、ベース部材１８と一体化される。
【００７０】
以上により、本考案の第１実施形態のレンズ駆動装置１０１は、平板状の仕切部材１１の仕切部１１ｐが上側板ばね１６Ａの弾性腕部１６ｐとコイル１３との間に位置するので、レンズ駆動装置１０１に過度の衝撃が加えられて、上側板ばね１６Ａの弾性腕部１６ｐが過剰変形しても、弾性腕部１６ｐがコイル１３と当接することがない。このため、上側板ばね１６Ａとコイル１３とが当接してコイル１３の絶縁皮膜を破ることがないので、コイル１３の導線間の短絡の発生を防ぐことができる。また、ヨーク１４を介して上側板ばね１６Ａがグランドに接続されている際には、上側板ばね１６Ａとコイル１３との短絡の発生も防ぐことができる。これらのことにより、搭載された製品の落下等で過度の衝撃がレンズ駆動装置１０１に加えられても、コイル１３の導線間、或いは上側板ばね１６Ａとコイル１３との短絡の発生による、レンズ駆動装置１０１或いはレンズ駆動装置１０１が搭載された製品の不具合を回避することができる。
【００７１】
また、仕切部材１１が非磁性であるので、近傍にある磁石１５とヨーク１４間の磁束に影響を与えることがなく、コイル１３に作用する推力の低下を防ぐことができる。また、仕切部材１１が金属板材からなるので、合成樹脂により仕切部材１１を形成する場合と比較して、剛性を保ちながらより薄型にすることができる。
【００７２】
また、仕切部材１１を薄い金属板材にすることで、仕切部材１１に弾性を持たせることができる。このため、弾性腕部１６ｐが仕切部材１１の仕切部１１ｐに当接しても、弾性腕部１６ｐの変形を防止することができる。
【００７３】
また、スペーサ部材１９、上側板ばね１６Ａ、仕切部材１１及び磁石１５を、ヨーク１４の天井部１４Ｂに一括して接着固定できるので、個々の部材同士を個々に取り付ける必要がない。このことにより、レンズ駆動装置１０１を組み立てる際に、簡易に組み立てることができ、生産性の向上をはかることができる。
【００７４】
また、仕切部材１１には、取付部１１ｂと仕切部１１ｐとの間に孔部１１ｈが設けられているので、取付部１１ｂに接着材を塗布して接着する場合、この孔部１１ｈにより、余分な接着材が流動して仕切部１１ｐに到達するのを防止することができる。このことにより、接着材が仕切部１１ｐから弾性腕部１６ｐに流れて弾性腕部１６ｐに接着するのを防止でき、レンズ保持部材１２の光軸方向へ移動が阻害されるのを防止することができる。
【００７５】
また、レンズ保持部材１２の鍔部１２ｖがコイル１３の下方と下側板ばね（１６Ｃ、１６Ｅ）の弾性腕部（１６ｑ、１６ｒ）との間に位置するので、過度の衝撃がレンズ駆動装置１０１に加えられて、下側板ばね（１６Ｃ、１６Ｅ）の弾性腕部（１６ｑ、１６ｒ）が変形しても、弾性腕部（１６ｑ、１６ｒ）がコイル１３と当接することを防止できる。このため、下側板ばね（１６Ｃ、１６Ｅ）の弾性腕部（１６ｑ、１６ｒ）とコイル１３とが当接してコイル１３の絶縁皮膜を破ることがない。このことにより、コイル１３の導線間の短絡の発生を防ぐことができ、搭載された製品の落下等で過度の衝撃が加えられても、コイル１３の導線間の短絡の発生による、レンズ駆動装置１０１或いはレンズ駆動装置１０１が搭載された製品の不具合を確実に回避することができる。
【００７６】
なお、本考案は上記実施形態に限定されるものではなく、例えば次のように変形して実施することができ、これらの実施形態も本考案の技術的範囲に属する。
【００７７】
＜変形例１＞
上記第１実施形態では、好適に仕切部材１１を非磁性の金属板材から作製したが、これに限るものではなく、非磁性の合成樹脂でも良いし、磁性を有した鋼板を用いても良い。
【００７８】
本考案は上記実施の形態に限定されず、本考案の目的の範囲を逸脱しない限りにおいて適宜変更することが可能である。
【符号の説明】
【００７９】
１１    仕切部材
１１ｂ  取付部
１１ｈ  孔部
１１ｐ  仕切部
１２    レンズ保持部材
１２ｖ  鍔部
１３    コイル
１４    ヨーク
１４Ａ  側壁部
１４Ｂ  天井部
１４ｋ  開口部
１５、１５Ａ、１５Ｂ、１５Ｃ、１５Ｅ  磁石
１６    板ばね
１６Ａ  上側板ばね
１６Ｃ、１６Ｅ  下側板ばね
１６ａ、１６ｈ、１６ｖ  第１部分
１６ｂ、１６ｉ、１６ｗ  第２部分
１６ｐ、１６ｑ、１６ｒ  弾性腕部
１８    ベース部材
１９    スペーサ部材
１０１  レンズ駆動装置
【図１】
0003183931.tif 000003
【図２】
0003183931.tif 000004
【図３】
0003183931.tif 000005
【図４】
0003183931.tif 000006
【図５】
0003183931.tif 000007
【図６】
0003183931.tif 000008
【図７】
0003183931.tif 000009
【図８】
0003183931.tif 000010
【図９】
0003183931.tif 000011
【図１０】
0003183931.tif 000012
【図１１】
0003183931.tif 000013
【図１２】
0003183931.tif 000014
【図１３】
0003183931.tif 000015
【図１４】
0003183931.tif 000016
【図１５】
0003183931.tif 000017
【図１６】
0003183931.tif 000018
【図１７】
0003183931.tif 000019
【図１８】
0003183931.tif 000020
【図１９】
0003183931.tif 000021
【図２０】
0003183931.tif 000022